(57)【特許請求の範囲】
【請求項１】
一対の縦枠間に互いに上下方向に並置された複数のスラットからなるブラインドと、各縦枠に配された伸縮自在なリンク機構と、下端部が縦枠に連結されたリンク機構の上端部を持上げて、ブラインドを閉口位置に配するリンク持上げ機構とを具備しており、リンク持上げ機構は、一端部がリンク機構の上端部に連結された可撓性の長尺体と、この長尺体の他端部が連結されていると共に、回転により長尺体を巻き取り、繰り出す回転体と、回転体を回転させる回転駆動装置とを具備しており、回転駆動装置は、紐状体と、この紐状体が巻きつけられた滑車と、この滑車の両側面側に出力軸を有しており、滑車の回転を減速して各出力軸に出力する減速遊星歯車装置と、この減速遊星歯車装置の各出力軸に連結されていると共に、回転体が固着されている回転軸と、長尺体の巻き取り方向の滑車の紐状体の手動引き下げによる回転を許容すると共に、長尺体の繰り出し方向の滑車のブラインドの自重による回転を解除可能に禁止するラチェット機構とを具備しており、ラチェット機構による長尺体の繰り出し方向の滑車の回転禁止を紐状体により解除できるようになっているブラインド装置。
【請求項２】
減速遊星歯車装置は、滑車の各側面に固着された太陽歯車と、この太陽歯車に噛合った遊星歯車からなる遊星歯車群と、この遊星歯車群の遊星歯車の夫々に噛合った内歯歯車とを具備しており、出力軸は、各遊星歯車群の遊星歯車を回転自在に支持する遊星枠に固着されている請求項１に記載のブラインド装置。
【請求項３】
ラチェット機構は、滑車の側面に固着されたラチェット歯車と、このラチェット歯車に噛合う爪を有した回動自在なレバー部材と、爪がラチェット歯車に噛合うように弾性的にレバー部材を付勢する付勢部材とを具備しており、レバー部材は、紐状体の持上げで爪のラチェット歯車への噛合いが解除される方向に回動されるようになっている請求項１又は２に記載のブラインド装置。
【請求項４】
回転駆動装置は、滑車を収容するハウジングを具備しており、レバー部材は、ハウジングに回動自在に支持されており、付勢部材は、一端部がハウジングに固着されており、他端部がレバー部材に当接した板ばねを具備している請求項３に記載のブラインド装置。
【請求項５】
レバー部材は、紐状体の垂れ下がりを案内する案内凹所を有している請求項３又は４に記載のブラインド装置。
【請求項６】
紐状体は、無端の玉チェーンからなる請求項１から５のいずれか一項に記載のブラインド装置。
【請求項７】
スラットのそれぞれを傾動させるチルト機構を更に具備しており、リンク機構の上端部は、チルト機構を介してリンク持上げ機構により持上げられるようになっている請求項１から６のいずれか一項に記載のブラインド装置。
【請求項８】
リンク機構は、第一の縦リンク列と、この第一の縦リンク列に並設されてなる第二の縦リンク列と、第一及び第二の縦リンク列に回動自在に連結された複数の横リンク部材とを具備しており、各スラットの端部は、対応の横リンク部材の夫々に支持されており、チルト機構は、縦枠に直動自在に案内されると共に、回動が縦枠によって規制されており、且つ、一方では最上位の横リンク部材が回動自在に、他方ではリンク持上げ機構が夫々連結されてなる直動自在部材と、一端が直動自在部材に、他端が最上位の横リンク部材に夫々連結されており、当該最上位の横リンク部材に弾性的な一の方向の回動力を与える弾性部材と、最上位の横リンク部材の上昇に際して、弾性部材の弾性的な一の方向の回動力に抗して最上位の横リンク部材を逆の方向に強制的に回動させる逆強制回動機構とを具備している請求項７に記載のブラインド装置。
【発明の詳細な説明】
【０００１】
【発明の属する技術分野】
本発明は、建物の窓等に配置し、必要に応じてこれら窓等の目隠しをするブラインド装置に関する。
【０００２】
【発明が解決しようとする課題】
この種のブラインド装置は、通常、上下方向に並置された複数のスラットからなるブラインドを上方に配置し、昇降装置の作動により当該ブラインドを上方から下降させて建物の窓等の開口部を目隠しし、昇降装置の逆作動によりブラインドを上昇させて開口部を開口するように、構成されている。
【０００３】
斯かるブラインド装置では、上記のように、開口部の開口の際には、ブラインドを構成する複数のスラットが開口部の上方に、通常、互いに密に重合されて配置されるため、全開時でも、重合されたスラットにより開口部が一部閉口されたようになり、開口部の全開時に十分な解放感を味わうことができず、目障りとなる。これをなくすためにスラット収容枠を上方に設けても、スラット収容枠分の占有空間を上方に必要とし、一般の家屋等においてはこれが困難な場合があり、必ずしも満足し得るものではない。また、開口部の下方のみの目隠しを行いたい場合等においては、従来のブラインド装置ではそれができないという問題もあり、更に、スラットの清掃は梯子や台等を使用しなければならず、また、閉口動作におけるブラインドの下降で物又は人が挟まれる危険性もある。
【０００４】
そこで、特開平８−２１００４９号公報に記載のようなブラインド装置が提案されており、提案のブラインド装置によれば上記の種々の問題点を好ましく解決でき、その点では満足できるのであるが、公報に記載の限りのブラインド装置では、緊急時等において即時に開口状態にもたらすことが困難であって、開口部の閉口状態において室外に緊急に脱出しようとする場合には、スラット等を破壊する必要がある。
【０００５】
また、この種のブラインド装置の操作、特に集合住宅又は戸建住宅の窓に設置されるブラインド装置の開閉操作は通常手動で行われるので、開口状態にもたらすためのスラットの上昇に対してはあまり力を必要としなく、極めて滑らかに行い得ることが好ましいが、提案のブラインド装置ではなおこれらに対して満足し得る程度のものではない。
【０００６】
更に、ブラインド装置には、スラットのそれぞれを傾動させて、開口部の完全閉口（完全目隠し状態）と開口部の簾状態の閉口（半目隠し状態）とを行うチルト機構が通常設けられるのであるが、斯かるチルト機構の動作は、スラット及びリンク部材の重量に依存するところがあり、これらスラット及びリンク部材の重量が小さい場合には、ブラインドの開口位置への移行においてスラットを水平状態にできないという不都合が生じる虞がある。斯かる不都合は、各軸部における摩擦抵抗に起因するものと考えられるが、この不都合を解決するために、ボール軸受等を用いて軸部における摩擦抵抗を小さくすることは、費用がかかり、コストアップとなり、必ずしも満足し得るものではない。
【０００７】
本発明は、前記諸点に鑑みてなされたものであって、その目的とするところは、特開平８−２１００４９号公報に記載のようなブラインド装置の利点を生かして、しかも、緊急時に、即時に開口状態にもたらすことが可能であって、スラットの上昇に対してはあまり力を必要としなく、これを極めて滑らかに行い得るブラインド装置を提供することにある。
【０００８】
本発明は他の目的とするところは、スラットの水平状態への移行を低コストで且つ高い信頼度をもって行わせることができるブラインド装置を提供することにある。
【０００９】
【課題を解決するための手段】
本発明の第一の態様のブラインド装置は、一対の縦枠間に互いに上下方向に並置された複数のスラットからなるブラインドと、各縦枠に配された伸縮自在なリンク機構と、下端部が縦枠に連結されたリンク機構の上端部を持上げて、ブラインドを閉口位置に配するリンク持上げ機構とを具備しており、ここで、リンク持上げ機構は、一端部がリンク機構の上端部に連結された可撓性の長尺体と、この長尺体の他端部が連結されていると共に、回転により長尺体を巻き取り、繰り出す回転体と、回転体を回転させる回転駆動装置とを具備しており、回転駆動装置は、紐状体と、この紐状体が巻きつけられた滑車と、この滑車の両側面側に出力軸を有しており、滑車の回転を減速して各出力軸に出力する減速遊星歯車装置と、この減速遊星歯車装置の各出力軸に連結されていると共に、回転体が固着されている回転軸と、長尺体の巻き取り方向の滑車の紐状体の手動引き下げによる回転を許容すると共に、長尺体の繰り出し方向の滑車のブラインドの自重による回転を解除可能に禁止するラチェット機構とを具備しており、ラチェット機構による長尺体の繰り出し方向の滑車の回転禁止を紐状体により解除できるようになっている。
【００１０】
第一の態様のブラインド装置によれば、回転駆動装置が減速遊星歯車装置を具備しているために、スラットの上昇に対してはあまり力を必要としなく、これを極めて滑らかに行い得、しかも、ラチェット機構による長尺体の繰り出し方向の滑車の回転禁止を紐状体により解除できるようになっているために、緊急時に、即時に開口状態にもたらすことが可能となる。
【００１１】
減速遊星歯車装置としては、スター形又はプラネタリ形のいずれでもよく、好ましい例では、減速遊星歯車装置は、本発明の第二の態様のブラインド装置のように、滑車の各側面に固着された太陽歯車と、この太陽歯車に噛合った遊星歯車からなる遊星歯車群と、この遊星歯車群の遊星歯車の夫々に噛合った内歯歯車とを具備しており、ここで、出力軸は、各遊星歯車群の遊星歯車を回転自在に支持する遊星枠に固着されている。
【００１２】
ラチェット機構は、好ましい例では、本発明の第三の態様のブラインド装置のように、滑車の側面に固着されたラチェット歯車と、このラチェット歯車に噛合う爪を有した回動自在なレバー部材と、爪がラチェット歯車に噛合うように弾性的にレバー部材を付勢する付勢部材とを具備しており、レバー部材は、紐状体の持上げで爪のラチェット歯車への噛合いが解除される方向に回動されるようになっている。
【００１３】
斯かるラチェット機構によれば、付勢部材により弾性的に付勢されたレバー部材を紐状体の持上げにより回動させるだけで滑車の回転禁止を解除できる結果、更に極めて簡単に即時に開口状態にもたらすことが可能となる。
【００１４】
好ましい例では、本発明の第四の態様のブラインド装置のように、回転駆動装置は、滑車を収容するハウジングを具備しており、レバー部材は、ハウジングに回動自在に支持されており、付勢部材は、一端部がハウジングに固着されており、他端部がレバー部材に当接した板ばねを具備しており、また、レバー部材は、本発明の第五の態様のブラインド装置のように、紐状体の垂れ下がりを案内する案内凹所を有している。
【００１５】
第四の態様のブラインド装置のようにレバー部材及び付勢部材が構成されていると、回転駆動装置を極めてコンパクトに形成でき、また、第五の態様のブラインド装置のように、レバー部材が案内凹所を有していると、紐状体の持上げで誤りなく滑車の回転禁止を解除できる。
【００１６】
紐状体としては、有端又は無端のいずれでもよく、また、金属製又は合成樹脂製のチェーン又は歯付きベルトのいずれでもよいが、本発明の第六の態様のブラインド装置のように、無端の玉チェーンからなるものが好ましい。
【００１７】
本発明の第七の態様のブラインド装置は、上記のいずれかの態様のブラインド装置において、スラットのそれぞれを傾動させるチルト機構を更に具備しており、ここで、リンク機構の上端部は、チルト機構を介してリンク持上げ機構に持上げられるようになっている。
【００１８】
第七の態様のブラインド装置によれば、チルト機構によりスラットのそれぞれを傾動させて、開口部の完全閉口と開口部の簾状態の閉口とを選択的に行うことができる。
【００１９】
本発明の第八の態様のブラインド装置では、第七の態様のブラインド装置において、リンク機構は、第一の縦リンク列と、この第一の縦リンク列に並設されてなる第二の縦リンク列と、第一及び第二の縦リンク列に回動自在に連結された複数の横リンク部材とを具備しており、各スラットの端部は、対応の横リンク部材の夫々に支持されており、チルト機構は、縦枠に直動自在に案内されると共に、回動が縦枠によって規制されており、且つ、一方では最上位の横リンク部材が回動自在に、他方ではリンク持上げ機構が夫々連結されてなる直動自在部材と、一端が直動自在部材に、他端が最上位の横リンク部材に夫々連結されており、当該最上位の横リンク部材に弾性的な一の方向の回動力を与える弾性部材と、最上位の横リンク部材の上昇に際して、弾性部材の弾性的な一の方向の回動力に抗して最上位の横リンク部材を逆の方向に強制的に回動させる逆強制回動機構とを具備している。
【００２０】
第八の態様のブラインド装置によれば、最上位の横リンク部材に弾性的な一の方向の回動力を与える弾性部材を具備しているために、逆強制回動機構により最上位の横リンク部材が逆の方向に強制的に回動された後に、再びブラインドを開口位置に移行させるべく、最上位の横リンク部材を下降させる際に、最上位の横リンク部材を弾性部材の弾性的な回動力により一の方向に強制的に回動させることができる結果、スラットの水平状態への移行を低コストで且つ高い信頼度をもって行わせることができる。
【００２１】
なお、本発明のブラインド装置では、リンク機構の下端部を弾性的な終端機構により弾性的に引っ張るようにしてもよく、リンク機構の下端部を斯かる終端機構により弾性的に下方に引っ張るようにすると、スラットにその自重に加えて下降力を付与できるために、通常の開口及び緊急開口をより確実に且つ迅速に行わせることができる上に、ブラインドを開口位置に配する際のリンク持上げ機構の過操作においても、リンク機構に多少の上昇を生じさせることができるために、リンク機構の損傷を防ぎ得る。
【００２２】
本発明において、可撓性の長尺体としては、ベルト、ワイヤロープ、チェーン、ひも等を好ましい例として示すことができ、回転体としては、可撓性の長尺体としてベルト、ワイヤロープ又はひもが用いられる場合には、これらが巻き付けられて係合するプーリが好ましく用いられ、長尺体としてチェーンが用いられる場合には、チェーンに噛合って係合するスプロケットホイールが好ましく用いられる。
【００２３】
次に本発明を、図に示す実施の形態の好ましい例を参照して更に詳細に説明する。なお、本発明はこれら例に何等限定されないのである。
【００２４】
【発明の実施の形態】
図１から図８において、本例のブラインド装置１は、一対の縦枠２及び３間に互いに上下方向に並置された複数のスラット４からなるブラインド５と、スラット４のそれぞれの長手方向の端部６を支持しており、縦枠２及び３内に配された伸縮自在なリンク機構７（縦枠３側は図示せず、以下同じ）と、リンク機構７を介してスラット４のそれぞれを傾動させるべく、リンク機構７に連結されたチルト機構１０（縦枠３側は図示せず、以下同じ）と、下端部が終端機構８（同じく縦枠３側は図示せず、以下同じ）を介して縦枠２及び３の夫々に連結されたリンク機構７の上端部をチルト機構１０を介して持上げて、ブラインド５を閉口位置に配するリンク持上げ機構９とを具備している。
【００２５】
縦枠３並びに縦枠３側のリンク機構、終端機構及びチルト機構等の夫々は、縦枠２並びに縦枠２側のリンク機構７、終端機構８及びチルト機構１０等の夫々と同様に構成されているため、以下主に縦枠２側について説明し、必要に応じて縦枠３側について説明する。
【００２６】
縦枠２と縦枠３とは、上枠１５により橋絡されて、ブラインド５により開口、閉口される開口部１６を形成している。縦枠２には、上下方向に伸びるスリット１７が形成されている。
【００２７】
スラット４のそれぞれは、開口部１６を閉口した際に外部に露出される大樋状部２１と、開口部１６を閉口した際に上段の大樋状部２１の下端側に重合される小樋状部２２とを一体的に有しており、大樋状部２１の下端部にシール部材２３が嵌装されてなる。
【００２８】
リンク機構７は、複数の縦リンク部材２５が軸ピン２６を介して互いに回動自在に直列に連結されてなる縦リンク列２７と、縦リンク列２７と同様に、複数の縦リンク部材２８が軸ピン２９を介して互いに回動自在に直列に連結されて、縦リンク列２７に並設されてなる縦リンク列３０と、一端部が一個おきの軸ピン２６を介して縦リンク列２７に、他端部が一個おきの軸ピン２９を介して縦リンク列３０にそれぞれ回動自在に連結された複数の横リンク部材３１からなる横リンク列３２とを具備しており、スラット４のそれぞれの端部６は、横リンク部材３１に、スリット１７を通る取付具３３により固定して連結されている。なお、縦リンク列２７及び３０の折り畳み方向を規定すべく、縦リンク部材２５及び２８には阻止片３４が一体的に設けられている。
【００２９】
終端機構８は、一端で横リンク列３２の最下位の横リンク部材３１に軸ピン（図示せず）を介して回動自在に連結されたリンク部材４１と、一端でリンク部材４１の他端に軸ピン４２を介して回動自在に連結されたリンク部材４３と、リンク部材４３の他端が軸ピン４４を介して回動自在に連結されていると共に、縦枠２の底壁４５に固着されている基部材４６とを具備しており、斯かる終端機構８を介してリンク機構７の下端部が縦枠２に連結されている。
【００３０】
終端機構８におけるリンク部材４１又は４３を伸縮自在なコイルばね等で構成して、斯かるコイルばね等によりリンク機構７の下端部が若干上下変位可能になるようにすると共に、リンク機構７が伸張した場合にリンク機構７を全体的に下方に弾性的に引っ張るようにしてもよい。
【００３１】
リンク持上げ機構９は、上枠１５に軸５１を介して回転自在に支持された転向ローラ５２と、同じく上枠１５に回転軸５３を介して回転自在に支持された回転体としてのプーリ５４と、プーリ５４に巻き付けられて係合され、転向ローラ５２に掛け回されて、繰り出し端が直動自在部材５０の板状の本体５５に連結された可撓性の長尺体としての金属製のベルト５６と、プーリ５４を回転させる回転駆動装置５７とを具備している。
【００３２】
リンク持上げ機構９は、縦枠２側の転向ローラ５２、プーリ５４及び金属製のベルト５６と同様に構成された転向ローラ、プーリ、金属製のベルトを縦枠３側にも具備している。
【００３３】
回転駆動装置５７は、ハウジング６１と、紐状体としての無端の玉チェーン６２が巻きつけられた滑車６３と、滑車６３の両側面６４及び６５側に出力軸６６及び６７を有していると共に、滑車６３の回転を減速して各出力軸６６及び６７に出力する減速遊星歯車装置６８及び６９と、減速遊星歯車装置６８及び６９の各出力軸６６及び６７に連結されていると共に、プーリ５４（縦枠３側のプーリは図示せず）が固着されている回転軸７０及び５３と、ベルト５６の巻き取り方向の滑車６３の回転（Ｒ１方向の回転）を許容すると共に、ベルト５６の繰り出し方向の滑車６３の回転（Ｒ２方向の回転）を解除可能に禁止するラチェット機構７１とを具備している。
【００３４】
半割り体７２及び７３がねじ等により互いに固着されてなるハウジング６１は、滑車６３を回転自在に収容したハウジング本体７４と、ハウジング本体７４に一体的に形成された取付け体７５及び７６と、玉チェーン６２の一方の垂れ下がり部８１が他方の垂れ下がり部８２と近接して並んで垂れ下がるように図示しない案内部とを具備しており、取付け体７５及び７６の夫々は係合部７７及び７８を有しており、係合部７７及び７８の夫々は上枠１５に一体形成された凸条７９及びに凹条８０に夫々係合して、ハウジング本体７４を含むハウジング６１を上枠１５に吊り下げ固定している。
【００３５】
減速遊星歯車装置６８及び６９の夫々は、互いに同様に構成されており、減速遊星歯車装置６８は、滑車６３の側面６４にラチェット歯車８５を介して固着された太陽歯車８６と、太陽歯車８６に噛合った三個の遊星歯車８７からなる遊星歯車群８９と、各遊星歯車８７を回転自在に支持すると共に、ハウジング本体７４内に回転自在に配された遊星枠９０と、遊星歯車群８９の遊星歯車８７に夫々噛合った歯（歯９８に相当）を内周面に有した内歯歯車９１とを具備しており、出力軸６６は遊星枠９０に固着されており、内歯歯車９１はハウジング本体７４にねじ等により固着されており、減速遊星歯車装置６９は、滑車６３の側面６５にラチェット歯車（ラチェット歯車８５に相当）を介して固着された太陽歯車（太陽歯車８６に相当）と、この太陽歯車に噛合った三個の遊星歯車９５からなる遊星歯車群９６と、各遊星歯車９５を回転自在に支持すると共に、ハウジング本体７４内に回転自在に配された遊星枠９７と、遊星歯車群９６の遊星歯車９５に夫々噛合った歯９８を内周面に有した内歯歯車９９とを具備しており、出力軸６７は遊星枠９７に固着されており、内歯歯車９９はハウジング本体７４にねじ等により固着されている。
【００３６】
内歯歯車９１の中央貫通孔１０５から突出した出力軸６６には、回転軸７０が連結、固着されており、内歯歯車９９の中央貫通孔１０６から突出した出力軸６７には、回転軸５３が連結、固着されている。
【００３７】
回転駆動装置５７によれば、玉チェーン６２の一方の垂れ下がり部８１を手動により下方に引き下げて、滑車６３をＲ１方向に回転させることにより、出力軸６６及び６７を介して回転軸７０及び５３を減速して回転させることができ、この回転軸７０及び５３の回転により、ベルト５６の巻き取り方向にプーリ５４（縦枠３側のプーリも同様）を回転させることができる。
【００３８】
ラチェット機構７１は、滑車６３の側面６４及び６５に固着された前記のラチェット歯車８５（側面６５のラチェット歯車を含む）と、ラチェット歯車８５に噛合う爪１１１を一体的に有した回動自在なレバー部材１１２と、一端部１１３がハウジング本体７４にねじ等により固着されていると共に、爪１１１をラチェット歯車８５に噛合うように弾性的にレバー部材１１２を回動付勢する付勢部材としてのＬ字状の板ばね１１４とを具備している。
【００３９】
レバー部材１１２は、玉チェーン６２の垂れ下がり部８２を案内する案内凹所１１５（図１３参照）と、板ばね１１４の他端部１１６が配される凹所１１７とを具備しており、ピン１１８を介してハウジング本体７４に回動自在に支持されており、図１３及び図１４に示すように、玉チェーン６２の垂れ下がり部８２の持上げで、爪１１１のラチェット歯車８５への噛合いが解除される方向に回動されるようになっている。板ばね１１４は、他端部１１６においてレバー部材１１２に弾性的に当接している。
【００４０】
ラチェット機構７１は、レバー部材１１２が板ばね１１４により弾性的に押圧されて爪１１１がラチェット歯車８５に噛合う際には、ベルト５６の巻き取り方向の滑車６３の回転（Ｒ１方向の回転）を許容すると共に、ベルト５６の繰り出し方向の滑車６３の回転（Ｒ２方向の回転）を禁止する一方、玉チェーン６２の垂れ下がり部８２の持上げでレバー部材１１２が板ばね１１４の弾性力に抗して回動されて爪１１１のラチェット歯車８５への噛合いが解除される際には、滑車６３のＲ２方向の回転禁止を解除して、滑車６３がＲ２方向に自由回転できるようにする。こうして本例のブラインド装置１では、ラチェット機構７１によるベルト５６の繰り出し方向への滑車６３の回転禁止を玉チェーン６２の持上げで解除できるようになっている。ブラインド５が開口部１６を完全閉口又は半閉口している際に滑車６３のＲ２方向への自由回転が許容されると、ブラインド５及びリンク機構７等の自重により滑車６３がＲ２方向に回転される結果、プーリ５４が回転されてベルト５６が繰り出され、開口部１６を閉口しているスラット４は下降されて、ブラインド５は開口位置に配され、而して、ブラインド５による開口部１６の完全閉口又は半閉口は解除される。
【００４１】
なお、並設される窓ガラス戸１５１が閉じられている場合に、当該窓ガラス戸１５１により玉チェーン６２の持上げ及びこの持上げによるレバー部材１１２の回動を行うことができないようにするとよい。
【００４２】
以上のリンク持上げ機構９は、玉チェーン６２の垂れ下がり部８１の引き下げでプーリ５４をベルト５６の巻き取り方向に回転させて、これによりリンク機構７の上端部をチルト機構１０を介して持上げ、ブラインド５を閉口位置に配するようになっている。
【００４３】
チルト機構１０は、縦枠２に直動自在、すなわち上下動自在に案内されると共に、軸心１３１を中心とするＲ３方向の回動が縦枠２によって規制されており、且つ、一方では横リンク部材３１のうちで最上位の横リンク部材１３２が軸心１３１を中心とするＲ３及びＲ４方向に回動自在に、他方ではリンク持上げ機構９が夫々連結されてなる前述の直動自在部材５０と、最上位の横リンク部材１３２に取付けられた取付部材１３３と、一端１３４が直動自在部材５０の前述の本体５５に、他端１３５が取付部材１３３を介して最上位の横リンク部材１３２に夫々連結されており、当該最上位の横リンク部材１３２に弾性的な一の方向Ｒ３の回動力を与える弾性部材としてのコイルばね１３６と、最上位の横リンク部材１３２の開口部１６の上方での上昇に際して、コイルばね１３６の弾性的な一の方向Ｒ３の回動力に抗して最上位の横リンク部材１３２を逆の方向Ｒ４に強制的に回動させる逆強制回動機構１３７とを具備している。
【００４４】
直動自在部材５０は、板状の本体５５と、本体５５に上下方向に並んで一体的に設けられた鍔１４０付の二個の突起１３８とを具備しており、本体５５の上端部にはベルト５６の繰り出し端が固着されており、本体５５の下端部は、軸部材１３９により横リンク部材１３２及び取付部材１３３に軸心１３１を中心とするＲ３及びＲ４方向に相対的に回動自在に連結されており、こうして、本体５５は、一方では最上位の横リンク部材１３２がＲ３及びＲ４方向に回動自在に、他方ではリンク持上げ機構９が夫々連結されてなり、而して、直動自在部材５０は、最上位の横リンク部材１３２に軸部材１３９を介してＲ３及びＲ４方向に相対的に回動自在に連結されており、突起１３８は、縦枠２の縦方向に伸びるスリット１７に上下方向に摺動自在に挿通されており、直動自在部材５０の本体５５は、スリット１７とスリット１７に挿通された二個の突起１３８とにより、その上下動が案内されると共に、軸心１３１を中心とするＲ３及びＲ４方向のその回動が規制されるようになっている。各突起１３８の鍔１４０は、スリット１７から突起１３８が抜け出るのを防止している。
【００４５】
取付部材１３３は、一端部では軸ピン２６を介して、他端部では軸ピン２９を介して横リンク部材１３２に取付けられており、横リンク部材１３２の軸心１３１を中心とするＲ３及びＲ４方向の回動と共に、同じく軸心１３１を中心としてＲ３及びＲ４方向に回動されるようになっており、こうして最上位の横リンク部材１３２に取付けられた取付部材１３３を介してコイルばね１３６の他端１３５は、最上位の横リンク部材１３２に連結されている。
【００４６】
なお、弾性部材として、コイルばね１３６を用いる代わりにぜんまいばねを用いる場合には、一端を最上位の横リンク部材１３２に、他端を本体５５に夫々連結して、軸心１３１の回り、例えば軸部材１３９の回りに配するとよい。
【００４７】
逆強制回動機構１３７は、最上位の横リンク部材１３２に軸ピン２６を介して回転自在に設けられたカムローラ１７１と、最上位の横リンク部材１３２の開口部１６上方での上昇に際して、カムローラ１７１が当接するように、縦枠２に設けられた案内カム面１７２とを具備しており、案内カム面１７２は、本例では縦枠２に取付けられた突起１７３の外面からなる。
【００４８】
チルト機構１０は、図２に示すブラインド５による開口部１６の閉口状態で、玉チェーン６２の垂れ下がり部８２の持上げで爪１１１のラチェット歯車８５への噛合いが解除されてベルト５６が繰り出される場合、最上位の横リンク部材１３２の下降により、図１０に示すようにカムローラ１７１と案内カム面１７２との互いの当接が解除されて、コイルばね１３６の弾性的な一の方向Ｒ３の回動力により最上位の横リンク部材１３２を強制的に一の方向Ｒ３に回動させ、逆に、図１２に示すブラインド５による開口部１６の開口状態で、玉チェーン６２の垂れ下がり部８１の引き下げでベルト５６が巻き取られる場合、カムローラ１７１の突起１７３への当接に基づく案内カム面１７２への案内当接で、コイルばね１３６の弾性的な一の方向Ｒ３の回動力に抗して最上位の横リンク部材１３２に逆方向Ｒ４の回動を生じさせ、而して、リンク機構７を介してスラット４のそれぞれを、図２に示す状態から図９に示す状態を経由して図１１に示す状態のように又は図１１に示す状態から図９に示す状態を経由して図２に示す状態のように傾動させるようになっている。
【００４９】
以上のブラインド装置１は、玉チェーン６２及びラチェット機構７１が室内１６０に臨むようにして建物の窓１６１に配される。ブラインド装置１では、開口部１６の開口においては、縦リンク列２７及び３０は折り畳まれており、図１２に示すようにスラット４のそれぞれは開口部１６の下方に互いに密に重合されて（束ねられて）いる。
【００５０】
ブラインド装置１における開口部１６の閉口に際しては、まず、玉チェーン６２の垂れ下がり部８１の引き下げて滑車６３をＲ１方向に回転させて、減速遊星歯車装置６８及び６９並びに回転軸５３を介してプーリ５４を回転し、これによりベルト５６をプーリ５４に巻き込んで、最上位の横リンク部材１３２を上昇させる。横リンク部材１３２の上昇により、縦リンク列２７及び３０もその上端部側から伸長され、而して横リンク列３２の横リンク部材３１も上方側から上方に持上げられる結果、横リンク部材１３２を含む横リンク部材３１に固定されたスラット４のそれぞれは、順次、開口部１６の閉口方向に持上げられる。図１０に示すように、突起１７３に当接しない位置にカムローラ１７１が位置している際には、スラット４がほぼ水平方向の傾動状態に保持されるように、縦リンク列２７及び３０並びに横リンク列３２等が形成されている。
【００５１】
更に、ベルト５６のプーリ５４への巻き込みにより縦リンク列２７及び３０が伸長されて、ブラインド５の開口部１６の途中閉口位置、本例では開口部１６の完全閉口直前位置で、カムローラ１７１が突起１７３に当接して案内カム面１７２に案内され始めると、最上位の横リンク部材１３２のＲ４方向の回動で縦リンク列２７に対して縦リンク列３０がより持上げられるようになり、これによりスラット４が図９に示すように回動され、順次垂直方向の傾動状態に設定される。更に、最上位の横リンク部材１３２のＲ４方向の回動と縦リンク列３０の持上げで、図２に示すようにスラット４がほぼ垂直方向の傾動状態に保持されて、開口部１６が完全目隠しされた状態でブラインド５により全閉（完全閉口）される。その後、玉チェーン６２の引き下げによるプーリ５４の回転が停止されて、ブラインド５による開口部１６の閉口動作が完了する。
【００５２】
ブラインド５による開口部１６の開口においては、図１３及び図１４に示すように、玉チェーン６２の垂れ下がり部８２の持上げでレバー部材１１２を回動させて爪１１１のラチェット歯車８５への噛合いを解除し、滑車６３のＲ２方向の自由回転を可能にすると、スラット４等の自重によりプーリ５４が前記と逆回転されて、図２、図９、図１１及び図１２に示すように、この順番で縦リンク列２７及び３０等が作動される。
【００５３】
以上のブラインド装置１によれば、回転駆動装置５７が減速遊星歯車装置６８及び６９を具備しているために、スラット４の上昇に対してはあまり力を必要としなく、これを極めて滑らかに行い得、しかも、ラチェット機構７１によるベルト５６の繰り出し方向への滑車６３の回転禁止を玉チェーン６２の持上げで解除できるようになっているために、通常時は言うに及ばず、緊急時に、即時にブラインド５を開口状態にもたらすことが可能となる。
【００５４】
またブラインド装置１のラチェット機構７１によれば、板ばね１１４により弾性的に付勢されたレバー部材１１２を玉チェーン６２の持上げによって回動させるだけで滑車６３の回転禁止を解除できる結果、更に極めて簡単に即時にブラインド５を開口状態にもたらすことが可能となり、しかも、レバー部材１１２が案内凹所１１５を有しているために、玉チェーン６２の持上げで誤りなく滑車６３の回転禁止を解除できる。
【００５５】
更にブラインド装置１によれば、チルト機構１０によりスラット４のそれぞれを傾動させて、開口部１６の完全閉口と開口部１６の簾状態の閉口とを選択的に行うことができる上に、チルト機構１０が最上位の横リンク部材１３２に弾性的な一の方向Ｒ３の回動力を与えるコイルばね１３６を具備しているために、逆強制回動機構１３７により最上位の横リンク部材１３２が逆の方向Ｒ４に強制的に回動された後に、再びブラインド５を開口位置に移行させるべく、最上位の横リンク部材１３２を下降させる際に、最上位の横リンク部材１３２をコイルばね１３６の弾性的な回動力により一の方向Ｒ３に強制的に回動させことができる結果、スラット４の水平状態への移行を低コストで且つ高い信頼度をもって行わせることができる。
【００５６】
【発明の効果】
本発明によれば、特開平８−２１００４９号公報に記載のようなブラインド装置の利点を生かして、しかも、緊急時に、即時に開口状態をもたらすことが可能であって、スラットの上昇に対してはあまり力を必要としなく、これを極めて滑らかに行い得るブラインド装置を提供することができる。
【００５７】
また本発明によれば、スラットの水平状態への移行を低コストで且つ高い信頼度をもって行わせることができるブラインド装置を提供することができる。
【図面の簡単な説明】
【図１】本発明の好ましい実施の形態の一例の全体斜視図である。
【図２】図１に示す例の一方の縦枠側の縦断面説明図である。
【図３】図１に示す例の一方の縦枠内の説明図である。
【図４】図３に示すチルト機構の詳細説明図である。
【図５】図１に示す例の縦枠内のチルト機構を詳細に示す横断面説明図である。
【図６】図１に示す例の一部拡大平面説明図である。
【図７】図１に示す例の回転駆動装置の斜視図である。
【図８】図７に示す回転駆動装置の分解説明図である。
【図９】図１に示す例の動作説明図である。
【図１０】図１に示す例の動作説明図である。
【図１１】図１に示す例の動作説明図である。
【図１２】図１に示す例の動作説明図である。
【図１３】図１に示す例の動作説明図である。
【図１４】図１に示す例の動作説明図である。
【符号の説明】
１  ブラインド装置
２、３  縦枠
４  スラット
５  ブラインド
７  リンク機構
９  リンク持上げ機構
５４ プーリ
５６  ベルト
５７  回転駆動装置
６２  玉チェーン
６３  滑車
６８、６９  減速遊星歯車装置
７１  ラチェット機構
【図１】
0004431810.tif 000002
【図２】
0004431810.tif 000003
【図３】
0004431810.tif 000004
【図４】
0004431810.tif 000005
【図５】
0004431810.tif 000006
【図６】
0004431810.tif 000007
【図７】
0004431810.tif 000008
【図８】
0004431810.tif 000009
【図９】
0004431810.tif 000010
【図１０】
0004431810.tif 000011
【図１１】
0004431810.tif 000012
【図１２】
0004431810.tif 000013
【図１３】
0004431810.tif 000014
【図１４】
0004431810.tif 000015